(57)【要約】【課題】外観品質や水密性及び気密性を損なうことなく障子を開放する際の操作を容易に行う。【解決手段】取付面５１ａを介して障子２０の見付け面に取り付けられる装置本体５１と、装置本体５１に対して所定の揺動軸心を中心に揺動可能に配設した操作レバー５２とを備え、操作レバー５２の操作先端部が装置本体５１に対し障子２０の開放方向に向けて揺動された場合に障子２０に設けた錠装置４０の解錠動作部材４４を戸先枠１４から離隔する方向に移動させることによって錠装置４０の解錠を行う解錠操作装置５０であって、先端部を置本体５１の取付面５１ａ側に向けた状態で基端部を介して作動片５３を装置本体５１に揺動可能に配設し、かつ操作レバー５２が操作された場合に作動片５３が揺動するように操作レバー５２と作動片５３とを互いに連係させ、作動片５３の先端部を介して解錠動作部材４４を動作させる。【選択図】図６
2014109106.tif 000002
【特許請求の範囲】
【請求項１】
取付面を介して障子の見付け面に取り付けられる装置本体と、前記装置本体に対して所定の揺動軸心を中心に揺動可能に配設した操作レバーとを備え、前記操作レバーの操作先端部が前記装置本体に対し障子の開放方向に向けて揺動された場合に障子に設けた錠装置の解錠動作部材を開口枠から離隔する方向に移動させることによって当該錠装置の解錠を行う解錠操作装置であって、
先端部を前記装置本体の取付面側に向けた状態で基端部を介して作動片を前記装置本体に揺動可能に配設し、かつ前記操作レバーが操作された場合に前記作動片が揺動するように前記操作レバーと前記作動片とを互いに連係させ、前記作動片の先端部を介して前記解錠動作部材を動作させることを特徴とする解錠操作装置。
【請求項２】
前記操作レバーは、押圧部を介して前記作動片に連係するものであり、
前記操作レバーの揺動軸心は、前記装置本体において前記取付面と前記押圧部との間に設けたことを特徴とする請求項１に記載の解錠操作装置。
【請求項３】
前記操作レバーは、互いの間に間隙を確保するように設けた一対の支持アーム部を備え、それぞれの支持アームに設けたレバー軸部を介して前記装置本体に揺動可能に支持させたものであり、
前記作動片は、少なくとも先端部が前記一対の支持アームの相互間に挿通可能となる幅を有し、これら支持アームの相互間を通過して先端部が揺動することを特徴とする請求項２に記載の解錠操作装置。
【請求項４】
互いに揺動軸心が平行となるように前記操作レバー及び前記作動片を前記装置本体に配設したことを特徴とする請求項１に記載の解錠操作装置。
【請求項５】
前記操作レバーには、前記装置本体の表面を覆うカバー部を設け、
前記装置本体には、前記操作レバーが操作されていない場合に前記カバー部によって覆われる位置にネジ挿通孔を設け、
前記ネジ挿通孔を介して障子に取付ネジを締結することによって前記装置本体を障子に取り付けたことを特徴とする請求項１に記載の解錠操作装置。
【請求項６】
請求項１〜請求項５のいずれか一つに記載した解錠操作装置を備える建具であって、
前記解錠操作装置は、前記操作レバーの操作先端部が戸先枠から離隔する方向に延在するように前記装置本体を介して戸先框の見付け面に配設してあり、前記操作レバーの操作先端部を押して障子の面材に近接する方向に揺動させた場合に錠装置を解錠し、かつ前記操作レバーを介して戸先框を押すことにより開口枠に対して障子を開放することを特徴とする建具。
【発明の詳細な説明】
【技術分野】
【０００１】
本発明は、解錠操作装置及び建具に関するもので、開き窓、回転窓、辷り出し窓のように開口枠に対して障子が面外方向に移動することで開放した状態となる建具と、この建具の障子を開閉する際に操作する解錠操作装置とに関する。
【背景技術】
【０００２】
開き窓、回転窓、辷り出し窓のように開口枠に対して障子が面外方向に移動することで開放した状態となる建具では、通常、戸先框の見付け面に操作レバーが設けられており、この操作レバーを操作して障子を開閉するようにしている。
【０００３】
この種の建具の中には、操作レバーに対して障子を開閉する際の把持部分として機能させるだけでなく、開口枠の戸先枠と戸先框との間に設けられた錠装置を解錠するための機能をもたせたものも提供されている。例えば、特許文献１に記載された建具では、操作レバーを室内側に向けて引くように回転させた場合に錠装置が解錠できるように構成してある。すなわち、操作レバーを室内側に向けて引くように回転させた場合には、操作レバーに連係された錠装置の解錠動作部材が開口枠から離隔する方向に移動することによって開口枠との施錠状態が解除されることになる。この建具によれば、操作レバーを室内側に向けて引くように回転操作すれば、錠装置が解錠されると同時に障子が開放されることになり、障子を開放する際の操作がきわめて容易となる。
【先行技術文献】
【特許文献】
【０００４】
【特許文献１】特開平９−７８９２１号公報
【発明の概要】
【発明が解決しようとする課題】
【０００５】
ところで、特許文献１に記載の建具において解錠動作部材のストローク量を十分に確保するには、操作レバーの回転軸心をできるだけ框の見付け面に近接した位置に設定し、かつ操作レバーと解錠動作部材とが連係する位置を框の見付け面からできるだけ離した位置に設定する必要がある。
【０００６】
しかしながら、操作レバーと解錠動作部材とが連係する位置を框の見付け面から離して設定した場合には、操作レバーから戸先枠までの間に解錠動作部材やこれを覆うカバーが大きく突出する構成となり、建具の外観品質を損なう。また、開口枠に対して障子を室外側に押し開くように構成した建具の場合には、戸先框の見付け面から大きく突出する解錠動作部材が戸先枠との間に介在する構成となるため、水密性や気密性を確保することが困難になるという問題を招来する恐れもある。
【０００７】
本発明は、上記実情に鑑みて、外観品質や水密性及び気密性を損なうことなく障子を開放する際の操作を容易に行うことのできる解錠操作装置及び建具を提供することを目的とする。
【課題を解決するための手段】
【０００８】
上記目的を達成するため、本発明に係る解錠操作装置は、取付面を介して障子の見付け面に取り付けられる装置本体と、前記装置本体に対して所定の揺動軸心を中心に揺動可能に配設した操作レバーとを備え、前記操作レバーの操作先端部が前記装置本体に対し障子の開放方向に向けて揺動された場合に障子に設けた錠装置の解錠動作部材を開口枠から離隔する方向に移動させることによって当該錠装置の解錠を行う解錠操作装置であって、先端部を前記装置本体の取付面側に向けた状態で基端部を介して作動片を前記装置本体に揺動可能に配設し、かつ前記操作レバーが操作された場合に前記作動片が揺動するように前記操作レバーと前記作動片とを互いに連係させ、前記作動片の先端部を介して前記解錠動作部材を動作させることを特徴とする。
【０００９】
この発明によれば、先端部を装置本体の取付面側に向けた状態で基端部を介して作動片を前記装置本体に揺動可能に配設し、この作動片の先端部を介して解錠動作部材を動作させるようにしているため、框の見付け面に近接した位置に解錠動作部材との連係位置を設定した状態で解錠動作部材のストローク量を十分に確保することができる。
【００１０】
また、本発明は、上述した解錠操作装置において、前記操作レバーは、押圧部を介して前記作動片に連係するものであり、前記操作レバーの揺動軸心は、前記装置本体において前記取付面と前記押圧部との間となる部位に設けたことを特徴とする。
【００１１】
この発明によれば、操作レバーの揺動軸心から離隔した位置で操作レバーを作動片に連係させることができるため、作動片のストローク量を十分に確保することができる。
【００１２】
また、本発明は、上述した解錠操作装置において、前記操作レバーは、互いの間に間隙を確保するように設けた一対の支持アーム部を備え、それぞれの支持アームに設けたレバー軸部を介して前記装置本体に揺動可能に支持させたものであり、前記作動片は、少なくとも先端部が前記一対の支持アームの相互間に挿通可能となる幅を有し、これら支持アームの相互間を通過して先端部が揺動することを特徴とする。
【００１３】
この発明によれば、作動片との干渉を来すことなく操作レバーの揺動軸心を装置本体の取付面に近接した位置に設定することが可能となる。
【００１４】
また、本発明は、上述した解錠操作装置において、互いに揺動軸心が平行となるように前記操作レバー及び前記作動片を前記装置本体に配設したことを特徴とする。
【００１５】
この発明によれば、操作レバーと作動片とが互いに平行となる揺動軸心を中心として揺動するため、操作レバーの揺動を効率良く作動片に伝達することができる。
【００１６】
また、本発明は、上述した解錠操作装置において、前記操作レバーには、前記装置本体の表面を覆うカバー部を設け、前記装置本体には、前記操作レバーが操作されていない場合に前記カバー部によって覆われる位置にネジ挿通孔を設け、前記ネジ挿通孔を介して障子に取付ネジを締結することによって前記装置本体を障子に取り付けたことを特徴とする。
【００１７】
この発明によれば、操作レバーが操作されていない状態では、装置本体に設けたネジ挿通孔が操作レバーのカバー部によって覆われるため、外観品質の向上を図ることができる。
【００１８】
また、本発明に係る建具は、上述のいずれか一つに記載した解錠操作装置を備える建具であって、前記解錠操作装置は、前記操作レバーの操作先端部が戸先枠から離隔する方向に延在するように前記装置本体を介して戸先框の見付け面に配設してあり、前記操作レバーの操作先端部を押して障子の面材に近接する方向に揺動させた場合に錠装置を解錠し、かつ前記操作レバーを介して戸先框を押すことにより開口枠に対して障子を開放することを特徴とする。
【００１９】
この発明によれば、操作レバーの操作先端部を押せば、錠装置が解錠されると同時に障子が開放され、障子を開放する際の操作を容易に行うことが可能となる。
【発明の効果】
【００２０】
本発明によれば、先端部を装置本体の取付面側に向けた状態で基端部を介して作動片を装置本体に揺動可能に配設し、この作動片の先端部を介して解錠動作部材を動作させるようにしているため、框の見付け面に近接した位置に解錠動作部材との連係位置を設定した状態で解錠動作部材のストローク量を十分に確保することができる。従って、操作レバーから戸先枠までの間に錠装置の解錠動作部材が大きく突出する構成を取ることなく障子を開放する際の操作を容易に行うことが可能となり、適用する建具の外観品質を損なう恐れがなく、また、開口枠に対して障子を室外側に押し開くように構成した建具の場合にも水密性や気密性が損なわれる恐れがない。
【図面の簡単な説明】
【００２１】
【図１】図１は、本発明の実施の形態である解錠操作装置を適用した建具を室内側から見た図である。
【図２】図２は、図１に示した建具において障子が閉じた状態の要部を破断して示す斜視図である。
【図３】図３は、図１に示した建具において障子が開いた状態の要部を破断して示す斜視図である。
【図４】図４は、図１に示した建具の要部を破断して示す斜視図である。
【図５】図５は、図１に示した建具の要部を示したものであり、（ａ）は操作レバーが常態位置の横断面図、（ｂ）は操作レバーを操作した場合の横断面図である。
【図６】図６は、図１に示した建具の要部を示したものであり、（ａ）は作動片が非動作状態の横断面図、（ｂ）は作動片が動作状態の横断面図である。
【図７】図７は、図１に示した建具に適用する錠装置の斜視図である。
【図８】図８は、図７に示した錠装置を拡大して示す図である。
【図９】図９は、図１に示した解錠操作装置の分解斜視図である。
【図１０】図１０は、図９に示した解錠操作装置の要部を示したもので、（ａ）は操作レバー及び作動片の分解斜視図、（ｂ）は操作レバー及び作動片を組み立てた状態の斜視図である。
【図１１】図１１は、図９に示した解錠操作装置の操作レバー及び作動片を組み立てた状態の図である。
【発明を実施するための形態】
【００２２】
以下、添付図面を参照しながら本発明に係る解錠操作装置及び建具の好適な実施の形態について詳細に説明する。
【００２３】
図１は、本発明の実施の形態である解錠操作装置を適用した建具を示したものである。ここで例示する建具は、開口枠１０及び障子２０を備え、開口枠１０に対して障子２０を室外側に向けて面外方向に押し開くように構成した縦辷り出し窓と称されるものである。開口枠１０は、上枠１１、下枠１２、左右一対の縦枠１３，１４を四周枠組みすることによって構成したものである。障子２０は、上框２１、下框２２、左右一対の縦框２３，２４を四周框組みすることによって構成し、その内部にガラス板等の面材２５を保持したものである。この建具では、図１において左側に位置する縦框（以下、区別する場合に「戸尻框２３」という）の長手方向を中心として右側に位置する縦框（以下、区別する場合に「戸先框２４」という）が回転可能、かつ戸尻框２３が上枠１１及び下枠１２に沿ってスライド可能となるように開口枠１０に対して障子２０が支持してあり、戸先框２４を押せば、障子２０が室外側に開いて開口枠１０が開放されるようになる。
【００２４】
図１において右側に位置する縦枠（以下、区別する場合に「戸先枠１４」という）には、図２〜図６に示すように、室内側に位置する部分にヒレ部１４ａが設けてある。ヒレ部１４ａは、開口枠１０に対して障子２０を閉めた場合に戸先框２４の室内に臨む見付け面の先端部分を覆うように突出した薄板状部分である。このヒレ部１４ａには、図５及び図６に示すように、突出端部にインナガスケット１５が設けてある。インナガスケット１５は、障子２０を閉めた場合に戸先框２４の室内に臨む見付け面に圧接することにより、戸先枠１４と戸先框２４との間に所望の水密性及び気密性を確保するものである。また、戸先枠１４の見付け面において室外側に位置する部位には、障子２０を閉めた場合に戸先框２４の室外側縁部に圧接するアウタガスケット１６が設けてある。
【００２５】
この建具には、図１及び図４に示すように、戸先枠１４において高さ方向のほぼ中央となる位置に噛合ピン３０が配設してあるとともに、戸先框２４において噛合ピン３０に対応する位置に錠装置４０が配設してある。
【００２６】
噛合ピン３０は、先端に太径の円板状を成す頭部３１を有した円柱状部材である。この噛合ピン３０は、基端部に設けたピンブラケット３２を介して戸先枠１４の見込み面に取り付けてあり、もう一方の縦枠１３に向けてほぼ水平に突出している。
【００２７】
錠装置４０は、障子２０を閉めた状態で噛合ピン３０に噛合した場合には開口枠１０に対する障子２０の開放を阻止し、一方、噛合ピン３０に対して非噛合となった場合には開口枠１０に対する障子２０の開放を許容するものである。本実施の形態では、図７及び図８に示すように、基準となるベース部材４１に、フック部材４２、ロック部材４３、解錠動作部材４４を設けることによって構成した錠装置４０を例示している。
【００２８】
ベース部材４１は、矩形の平板状を成す主板部４１ａと、主板部４１ａの上下両縁部から互いに同一方向に屈曲して設けた一対の取付脚板部４１ｂ，４１ｃとを一体に成形したものである。主板部４１ａは、フック部材４２、ロック部材４３、解錠動作部材４４を支持するための部分である。一対の取付脚板部４１ｂ，４１ｃは、ベース部材４１を障子２０に取り付けるための部分である。取付脚板部４１ｂ，４１ｃの先端部は、互いに離反する方向に向けて屈曲し、戸先框２４に対する接合面を構成している。取付脚板部４１ｂ，４１ｃの接合面は、互いに同一平面上に位置し、かつ主板部４１ａに対して平行となるように設けてある。
【００２９】
ベース部材４１の主板部４１ａには、進入用切欠４１ｄが設けてあるとともに、フック軸部材４５及びロック軸部材４６が設けてある。進入用切欠４１ｄは、取付脚板部４１ｂ，４１ｃを介してベース部材４１を戸先框２４の見込み面（戸先面）に取り付けた場合に室内側となる側縁に開口する溝状部分であり、噛合ピン３０が挿入できる寸法に形成してある。フック軸部材４５は、ベース部材４１の主板部４１ａにおいて進入用切欠４１ｄの閉塞端部に近接する位置に設けてあり、ロック軸部材４６は、ベース部材４１の主板部４１ａにおいて進入用切欠４１ｄの上方となる部位に設けてある。これらフック軸部材４５及びロック軸部材４６は、主板部４１ａから取付脚板部４１ｂ，４１ｃと同じ方向に突出し、それぞれ主板部４１ａに直交するように配設してある。フック軸部材４５には、その軸心回りに回転可能、かつ軸心方向への移動が規制された状態でフック部材４２が配設してあり、ロック軸部材４６には、その軸心方向に沿って移動可能となる状態でロック部材４３が配設してある。
【００３０】
フック部材４２は、平板状を成すもので、第１回転規制部４２ａ、第２回転規制部４２ｂ、フック部４２ｃ、フック側当接面４２ｄを有している。第１回転規制部４２ａ及び第２回転規制部４２ｂは、それぞれベース部材４１の主板部４１ａに設けた規制軸部材４７に当接することにより、ベース部材４１に対するフック部材４２の回転範囲を規制するものである。第１回転規制部４２ａは、図８においてフック部材４２を時計回りに回転させた場合に規制軸部材４７に当接し、図８中の実線で示すようにフック部材４２を噛合姿勢とするものである。第２回転規制部４２ｂは、図８においてフック部材４２を反時計回りに回転させた場合に規制軸部材４７に当接し、図８中の二点鎖線で示すように、フック部材４２を非噛合姿勢とするものである。
【００３１】
フック部４２ｃは、フック部材４２の外周面から形成した噛合溝４２ｅを介して第１回転規制部４２ａと対向する部分である。噛合溝４２ｅは、噛合ピン３０を収容することのできる幅に形成した切欠である。
【００３２】
このフック部４２ｃは、フック部材４２が噛合姿勢となった場合にベース部材４１の進入用切欠４１ｄに対して噛合溝４２ｅよりも開口側に位置し、かつ進入用切欠４１ｄの開口を閉塞するように構成してある。このとき、フック部４２ｃに対向する第１回転規制部４２ａはベース部材４１の進入用切欠４１ｄに対してその閉塞端部に近接して配置され、噛合溝４２ｅが開口を下方に向けた状態でベース部材４１の進入用切欠４１ｄと交差した位置に配置される。
【００３３】
一方、フック部材４２が非噛合姿勢となった場合、フック部４２ｃは、ベース部材４１の進入用切欠４１ｄから退避した位置に配置され、進入用切欠４１ｄの開口が開放される。このとき、噛合溝４２ｅは自身の開口が進入用切欠４１ｄの開口にほぼ合致する位置に配置され、第１回転規制部４２ａがベース部材４１の進入用切欠４１ｄを横切るように傾斜して配置されるため、進入用切欠４１ｄに対して噛合ピン３０の進入が許容され、進入した噛合ピン３０が第１回転規制部４２ａに当接することになる。
【００３４】
フック側当接面４２ｄは、フック部材４２が噛合姿勢となった場合に、進入用切欠４１ｄよりも上方に位置する部位においてほぼ水平に延在するように構成したフック部材４２の外周面部分である。このフック側当接面４２ｄは、図８中の二点鎖線で示すように、フック部材４２が回転して噛合姿勢から非噛合姿勢に移行する際に上方に突出するような軌跡を辿るように構成してある。フック部材４２とベース部材４１に設けた規制軸部材４７との間には、フック部材４２を常に非噛合姿勢となる方向に付勢するフック付勢バネ４５ａが介在させてある。
【００３５】
ロック部材４３は、図７及び図８に示すように、フック部材４２とほぼ同じ板厚を有した平板状を成すもので、ロック軸部材４６の軸心方向に沿って移動することにより、外周面をフック部材４２の外周面に対向させた状態と、フック部材４２の外周面から外れた状態とに切り換わることが可能である。このロック部材４３には、回転規制面４３ａ及びロック側当接面４３ｂが設けてある。
【００３６】
回転規制面４３ａは、ロック部材４３の上端に形成した平坦面である。この回転規制面４３ａは、ベース部材４１の上端に設けた取付脚板部４１ｂの内壁面に近接して配置されており、ロック部材４３がロック軸部材４６の軸心方向に沿って移動する間、ベース部材４１に対してロック部材４３を常に同じ姿勢を維持するように機能する。
【００３７】
ロック側当接面４３ｂは、フック部材４２が噛合姿勢となった状態においてロック部材４３の外周面をフック部材４２の外周面に対向させた場合にフック部材４２のフック側当接面４２ｄに当接し、フック付勢バネ４５ａの付勢力に抗してフック部材４２を噛合姿勢に維持させるものである。ロック部材４３とベース部材４１に設けたロック軸部材４６の頭部４６ａとの間には、ロック部材４３を常にベース部材４１の主板部４１ａに近接する方向に付勢するロック付勢バネ４６ｂが介在させてある。
【００３８】
錠装置４０の解錠動作部材４４は、ベース部材４１の主板部４１ａにおいてフック軸部材４５よりも上方となる部位に、主板部４１ａに直交する解錠軸部材４８を介して配設した薄板状部材であり、基端部に設けた挿通孔（図示せず）を介して解錠軸部材４８の軸心方向に沿って移動することが可能である。この解錠動作部材４４は、解錠軸部材４８が挿通する部分を基端部として作用部４４ａが略水平に延在してロック部材４３と主板部４１ａとの間を通過し、略直角に屈曲してスライド部４４ｂが解錠軸部材４８の突出方向と同じ向きに延在する。さらに、解錠動作部材４４は、スライド部４４ｂの先端部が略直角に屈曲してベース部材４１の主板部４１ａから離隔する方向に延在し、後述する解錠操作装置５０の作動片５３に連係するための連係当接部４４ｃを構成している。ロック部材４３と主板部４１ａとの間を通過する解錠動作部材４４の作用部４４ａは、フック部材４２が非噛合姿勢となった場合にも、フック部材４２と接触しない幅に形成してある。解錠動作部材４４の作用部４４ａには、図には明示していないが、ロック軸部材４６が挿通する挿通孔が形成してある。ロック軸部材４６が解錠動作部材４４の挿通孔（図示せず）を通過することにより、解錠軸部材４８の軸心方向に沿った解錠動作部材４４の移動が可能となる。解錠動作部材４４の基端部とベース部材４１に設けた解錠軸部材４８の頭部４８ａとの間には、解錠動作部材４４の基端部を常にベース部材４１の主板部４１ａに近接する方向に付勢する復帰付勢バネ４８ｂが介在させてある。
【００３９】
上記のように構成した錠装置４０は、開口枠１０に対して障子２０を閉めた場合に、戸先枠１４の見込み面から突出する噛合ピン３０がベース部材４１の主板部４１ａに設けた進入用切欠４１ｄに進入することができ、かつ図８に示すように、進入用切欠４１ｄに進入した噛合ピン３０が、噛合姿勢となったフック部材４２の噛合溝４２ｅとの交差部分に位置することができるように、ベース部材４１の取付脚板部４１ｂ，４１ｃを介して戸先框２４の見込み面に取り付けられる。ベース部材４１から突出した解錠動作部材４４は、図５及び図６に示すように、開口枠１０に対して障子２０を閉めた場合にも、戸先枠１４と戸先框２４との隙間からヒレ部１４ａを超えて連係当接部４４ｃを室内側に導出することができるように、戸先框２４において室内に臨む見付け面に沿って配設してある。
【００４０】
錠装置４０を設けた障子２０の戸先框２４には、図２〜図６に示すように、室内に臨む見付け面において解錠動作部材４４の連係当接部４４ｃを覆い、かつ障子２０を閉めた場合にも外部に露出する位置に解錠操作装置５０が設けてある。解錠操作装置５０は、基底部に平坦な取付面５１ａを有した装置本体５１と、装置本体５１の上方部から一側方に向けて突出した操作レバー５２とを備えたもので、操作レバー５２の操作先端部を戸尻側に向けた状態で装置本体５１の取付面５１ａを介して戸先框２４に取り付けてある。
【００４１】
装置本体５１は、基底部及び一側方が開放したブロック状を成し、上方部から基底部に渡る部位に一対のネジ挿通孔５１ｂを有した本体基部５１Ａと、本体基部５１Ａの一側方を覆う蓋部５１Ｂとを備えて構成したもので、ネジ挿通孔５１ｂを介して戸先框２４の見付け面に取付ネジ（図示せず）を締結させることによって戸先框２４に取り付けてある。本体基部５１Ａのネジ挿通孔５１ｂは、取付ネジ（図示せず）を締結した後に本体カバー５１Ｃによって覆われることになり、直接外部に露出することはない。また、本体基部５１Ａの基底部には、戸先側に位置する部位にスライド用切欠５１ｃが設けてある。スライド用切欠５１ｃは、装置本体５１と戸先框２４の見付け面との間に解錠動作部材４４のスライド部４４ｂを通過させるための空間を構成するものである。
【００４２】
装置本体５１には、一対のネジ挿通孔５１ｂの間となる部位に収容室５１ｄが構成してある。収容室５１ｄは、装置本体５１の基底部に開口するとともに、蓋部５１Ｂに設けた切欠５１ｅを介して一側方に開口する空所であり、内壁面の両側にレバー支持部５１ｆ及び作動支持部５１ｇを有している。レバー支持部５１ｆは、後述する操作レバー５２のレバー軸部５２ｄを支持するための一対の凹部であり、取付面５１ａに近接した部位に設けてある。作動支持部５１ｇは、後述する作動片５３の作動軸部５３ｃを支持するための一対の凹部であり、取付面５１ａから離隔した収容室５１ｄの上方部に設けてある。この収容室５１ｄには、蓋部５１Ｂの切欠５１ｅを介して操作レバー５２のレバー基部５２ａが収容してあるとともに、操作レバー５２とは別個に構成した作動片５３が収容してある。
【００４３】
操作レバー５２は、図９〜図１１に示すように、装置本体５１とほぼ同じ幅の板状を成す操作板部５２ｂと、操作板部５２ｂの基端側から戸先框２４に近接する方向に向けて突出し、蓋部５１Ｂの切欠５１ｅに挿通可能となる幅に形成したレバー基部５２ａと、レバー基部５２ａの両側から戸先枠１４に近接する方向に向けて突出した一対の支持アーム５２ｃとを備えたもので、操作板部５２ｂの操作先端部を戸尻側に向けた状態でレバー基部５２ａ及び一対の支持アーム５２ｃが蓋部５１Ｂの切欠５１ｅを介して装置本体５１の収容室５１ｄに収容してある。一対の支持アーム５２ｃは、それぞれの外側面の同一軸心上となる位置に戸先框２４の長手方向に沿ったレバー軸部５２ｄを有しており、これらのレバー軸部５２ｄを収容室５１ｄのレバー支持部５１ｆに支持させることによりレバー軸部５２ｄの軸心を中心として操作レバー５２を揺動させ、操作板部５２ｂの操作先端部を面材２５に対して近接離反する方向に移動させることが可能である。一対の支持アーム５２ｃの相互間に確保した間隙は、錠装置４０の連係当接部４４ｃよりも大きな幅に形成してあり、解錠動作部材４４が移動した場合に連係当接部４４ｃを通過させることが可能である。
【００４４】
図には明示していないが、操作レバー５２と装置本体５１との間には、操作板部５２ｂの先端部を面材２５から離隔する方向に付勢するレバー付勢バネ５２ｆが介在させてある。このレバー付勢バネ５２ｆの付勢力により操作板部５２ｂの先端部が面材２５から最も離隔した位置に配置された場合（以下、この操作レバー５２の位置を「常態位置」という）、図５の（ａ）及び図６の（ａ）に示すように、一対の支持アーム５２ｃは、それぞれ装置本体５１の基底部に形成した開口を介して戸先框２４の見付け面に近接した状態に配置される。また、操作レバー５２が常態位置に配置された場合には、操作板部５２ｂの基端部がカバー部５２ｇとなって装置本体５１の上方部を覆うため、本体カバー５１Ｃが覆い隠されて外部から視認することはできない。この状態から、図５の（ｂ）及び図６の（ｂ）に示すように、レバー付勢バネ５２ｆの付勢力に抗して操作板部５２ｂの操作先端部が面材２５に近接する方向に揺動させると、操作レバー５２の揺動軸心となるレバー軸部５２ｄが支持アーム５２ｃにおいて最も戸先枠１４から離隔した部分に設けてあるため、支持アーム５２ｃは、戸先框２４の見付け面から離隔する方向に移動することになる。
【００４５】
装置本体５１の収容室５１ｄに収容した作動片５３は、図９〜図１１に示すように、一対の支持アーム５２ｃの間に配設することのできる幅に形成した舌片状の作動基部５３ａと、作動基部５３ａの基端部両側面から突出した受圧板部５３ｂ及び作動軸部５３ｃとを有したものである。受圧板部５３ｂは、一対の支持アーム５２ｃの相互間に挿通不可となる幅に形成した部分であり、作動軸部５３ｃは、受圧板部５３ｂからさらに突出した円柱状部分であり、受圧板部５３ｂが作動基部５３ａの先端側に位置する状態で、作動軸部５３ｃとともに作動基部５３ａと一体に成形してある。
【００４６】
この作動片５３は、作動軸部５３ｃを収容室５１ｄの作動支持部５１ｇに支持させることによって作動軸部５３ｃが操作レバー５２のレバー軸部５２ｄと平行となる状態で装置本体５１に配設してあり、作動軸部５３ｃの軸心を中心に装置本体５１に対して揺動することが可能である。受圧板部５３ｂの先端部は、作動軸部５３ｃと平行となるように円柱状に形成してあり、円柱状の周面を介して一対の支持アーム５２ｃに形成したフック凹部５２ｈに収容してある。支持アーム５２ｃのフック凹部５２ｈは、支持アーム５２ｃの先端上部に突出する押圧部５２ｊとの間に構成した横断面がほぼ半円形状を成す凹部である。このフック凹部５２ｈは、図５の（ａ）及び図６の（ａ）に示すように、操作レバー５２が常態位置に配置された場合、半円の軸心と作動軸部５３ｃの軸心とを含む面が戸先框２４の見付け面に対してほぼ直角となる位置に設けてある。従って、操作レバー５２が常態位置に配置された場合には、作動片５３の作動基部５３ａも戸先框２４の見付け面に対してほぼ直角の姿勢となり、作動基部５３ａの先端部が装置本体５１の取付面５１ａ側に向いた状態で戸先框２４にごく近接した位置に配置される（以下、この作動片５３の状態を「非動作状態」という）。このとき、作動基部５３ａの先端部は、解錠動作部材４４の連係当接部４４ｃよりも戸先側に位置しており、戸尻側に形成した平坦状を成す連係面５３ｄを介して連係当接部４４ｃに当接した状態となる。
【００４７】
レバー付勢バネ５２ｆの付勢力に抗して操作レバー５２の操作板部５２ｂが面材２５に近接する方向に揺動すると、作動片５３は、図５の（ｂ）及び図６の（ｂ）に示すように、戸先框２４の見付け面から離隔する方向に移動する支持アーム５２ｃの押圧部５２ｊによって受圧板部５３ｂが押圧され、作動軸部５３ｃを中心として揺動するため、作動片５３の先端部が戸先枠１４から離隔する方向に移動する（以下、この作動片５３の状態を「動作状態」という）。この結果、作動基部５３ａの連係面５３ｄを介して連係当接部４４ｃが押圧されるため、錠装置４０の解錠動作部材４４が戸先枠１４から離隔する方向に移動することになる。
【００４８】
以下、開口枠１０に対して障子２０を開閉する場合の解錠操作装置５０の動作について説明し、併せて本願の特徴部分について詳述する。尚、開口枠１０に対して障子２０が開いている状態を建具の初期の状態とする。このとき、錠装置４０においては、ロック部材４３がロック軸部材４６の軸心方向に沿って、つまりフック軸部材４５の回転軸心に沿って、ベース部材４１の主板部４１ａから離隔する方向に移動し、その外周面がフック部材４２の外周面から外れた位置（以下、「非係合位置」という）にある。このため、図８中の二点鎖線で示すように、フック付勢バネ４５ａの付勢力により、フック部材４２が非噛合姿勢となって噛合溝４２ｅの開口がベース部材４１の進入用切欠４１ｄに開放された状態となる。非係合位置にあるロック部材４３は、ロック付勢バネ４６ｂの付勢力によってフック部材４２に近接する方向に付勢されており、端面を介してフック部材４２に圧接された状態にある。また、解錠動作部材４４は、復帰付勢バネ４８ｂの付勢力によってロック部材４３から離隔し、ベース部材４１の主板部４１ａに当接された状態にあり、解錠操作装置５０の操作レバー５２がレバー付勢バネ５２ｆの付勢力によって常態位置に配置されるとともに、作動片５３が非動作状態に配置されている。
【００４９】
この状態から操作レバー５２を介して障子２０の戸先框２４を室内側に引き寄せると、やがて戸先枠１４に設けた噛合ピン３０がベース部材４１の進入用切欠４１ｄに進入し、フック部材４２の第１回転規制部４２ａに当接することにより、フック部材４２を噛合姿勢となる向きに回転させる。フック部材４２が噛合姿勢まで回転すると、図８中の実線で示すように、フック部材４２のフック部４２ｃによって進入用切欠４１ｄの開口が閉塞されるため、進入用切欠４１ｄから噛合ピン３０を逸脱させることができない状態となる。しかも、フック部材４２が噛合姿勢となった時点で、ロック付勢バネ４６ｂの付勢力により、ロック部材４３がベース部材４１の主板部４１ａに近接する方向に移動し、ロック側当接面４３ｂを介してフック部材４２のフック側当接面４２ｄに当接する（以下、「係合位置」という）。この結果、フック付勢バネ４５ａの付勢力に抗してフック部材４２が噛合姿勢に維持されることとなり、開口枠１０に対して障子２０が閉じた状態に維持される。
【００５０】
一方、開口枠１０に対して障子２０を開ける場合には、図５の（ｂ）及び図６の（ｂ）に示すように、装置本体５１から戸尻側に向けて突出した操作板部５２ｂの操作先端部を押して面材２５に近接する方向に揺動させれば良い。すなわち、操作レバー５２の操作板部５２ｂを面材２５に近接する方向に押すと、支持アーム５２ｃによって受圧板部５３ｂを押圧された作動片５３が揺動して動作状態となるため、連係当接部４４ｃ及びスライド部４４ｂを介して解錠動作部材４４の作用部４４ａが復帰付勢バネ４８ｂの付勢力、さらにはロック付勢バネ４６ｂの付勢力に抗して戸先枠１４から離隔する方向に移動し、ロック部材４３とともに主板部４１ａから離隔し、ロック部材４３の外周面がフック部材４２の外周面から外れた位置（非係合位置）に移動する。これにより、図８中の二点鎖線で示すように、フック付勢バネ４５ａの付勢力によってフック部材４２が非噛合姿勢となり、操作レバー５２を押す力によってベース部材４１の進入用切欠４１ｄから噛合ピン３０が逸脱し、そのまま開口枠１０に対して障子２０が開くことができる。従って、操作者は、錠装置４０の解錠操作を特別に意識する必要がなく、単に操作レバー５２を面材２５に近接する方向に押せば障子２０を開放することができ、その操作がきわめて容易となる。
【００５１】
尚、障子２０が開いた後に操作レバー５２から操作力を除去すると、レバー付勢バネ５２ｆの付勢力によって操作レバー５２が常態位置に復帰するとともに、作動片５３が非動作状態に復帰するため、錠装置４０に設けた復帰付勢バネ４８ｂの付勢力により、フック部材４２が非噛合姿勢のまま、解錠動作部材４４の作用部４４ａが再び主板部４１ａに当接した位置となり、上述した初期の状態に復帰する。
【００５２】
ここで、上述した建具では、解錠操作装置５０として、先端部が装置本体５１の取付面５１ａに近接する位置で移動するように、基端部の作動軸部５３ｃを介して作動片５３を装置本体５１に揺動可能に配設し、操作レバー５２が操作された際に作動片５３の先端部を介して解錠動作部材４４を動作させるようにしている。従って、戸先框２４の見付け面に近接した位置に解錠動作部材４４の連係当接部４４ｃとの連係位置を設定した場合にも解錠動作部材４４のストローク量を十分に確保することができるようになる。これにより、操作レバー５２から戸先枠１４までの間に錠装置４０の解錠動作部材４４が大きく突出する構成を取る必要が無くなるため、適用する建具の外観品質が何ら損なわれることがなく、また戸先框２４と戸先枠１４との間の水密性や気密性を確実に確保することが可能となる。
【００５３】
特に、実施の形態のように、装置本体５１の取付面５１ａから離隔した部位に操作レバー５２の押圧部５２ｊを設けるとともに、操作レバー５２の揺動軸心となるレバー軸部５２ｄを装置本体５１の取付面５１ａと押圧部５２ｊとの間において取付面５１ａに近接した部位に設け、押圧部５２ｊを介して操作レバー５２と作動片５３とを連係させるようにしているため、さらには操作レバー５２と作動片５３とが互いに平行となる揺動軸心を中心として揺動するため、操作レバー５２の揺動を効率良く作動片５３に伝達することができ、作動片５３のストローク量が十分に確保されることになる。
【００５４】
尚、上述した実施の形態では、いずれも建具として縦辷り出し窓を例示しているが、本発明はこれに限定されず、開口枠の面外方向に移動させることによって障子を開けるように構成した建具であれば、横辷り出し窓や開き窓、あるいは倒し窓にも適用することが可能である。この場合、障子は上下左右のいずれが戸先となっても良い。また、障子が開放する方向は、必ずしも室外側である必要はなく、錠装置の解錠動作部材が開口枠から離隔する方向に動作した場合に開錠するのであれば、室内側に向けて障子を開放するように構成しても良い。但し、障子が室内側に向けて開放する場合には、操作レバーを室内側に引くように操作した場合に解錠動作部材が開口枠から離隔する方向に動作して錠装置が解錠されるように連係する必要がある。
【００５５】
また、上述した実施の形態では、錠装置としてベース部材４１、フック部材４２、ロック部材４３を備えたものを例示しているが、解錠動作部材が開口枠から離隔する方向に動作した場合に施錠状態が解錠されるものであれば、如何なる構成のものを適用しても良い。
【００５６】
さらに、上述した実施の形態では、操作レバーが框の長手方向に沿った揺動軸心を有するようにしているが、これに限定されず、操作した場合に作動片の先端部が開口枠から離隔する方向に移動すれば良く、例えば框の長手方向に交差したり、直交する方向に沿って操作レバーの揺動軸心を設定することも可能である。
【符号の説明】
【００５７】
１０      開口枠
１４      戸先枠
２０      障子
２４      戸先框
２５      面材
４０      錠装置
４４      解錠動作部材
５０      解錠操作装置
５１      装置本体
５１ａ      取付面
５１ｂ      ネジ挿通孔
５２      操作レバー
５２ｃ      支持アーム
５２ｄ      レバー軸部
５２ｇ      カバー部
５２ｊ      押圧部
５３      作動片
【図１】
2014109106.tif 000003
【図２】
2014109106.tif 000004
【図３】
2014109106.tif 000005
【図４】
2014109106.tif 000006
【図５】
2014109106.tif 000007
【図６】
2014109106.tif 000008
【図７】
2014109106.tif 000009
【図８】
2014109106.tif 000010
【図９】
2014109106.tif 000011
【図１０】
2014109106.tif 000012
【図１１】
2014109106.tif 000013